(57)【要約】      （修正有）【課題】嵩張り重い収納物でも、或いは鋭利な縁辺を有する収納物であっても縁辺部分から破断して裂ける等の事故が起こらず、加えて収納物の仕分けが行える折り畳み袋体を提供する。【解決手段】縦方向の折り線を介して連接する横幅が異なる或いは略同じ２葉片以上の葉片が横方向へ連接された単位シートと、前記単位シートと縦幅が略同じ或いは異なる単位シートが、横方向の折り線を介して上下に連接された折り畳み袋体シートを縦横に折り畳んだ折り畳み袋体Ｆ１であり、前記折り畳み袋体シートを縦方向の折り線に沿って巻き折り状に折り込み、さらに前記横方向の折り線から単位シート同士が対向するように二つ折りに折り畳み、対向する任意の葉片の任意の箇所を剥離不能に接着することにより複数に仕切られた封入部を有する折り畳み袋体。【選択図】図１
2020179937.tif 000002
【特許請求の範囲】
【請求項１】
縦方向の折り線を介して連接する横幅が異なる或いは略同じ２葉片以上の葉片が横方向へ連接された単位シートと、前記単位シートと縦幅が略同じ或いは異なる単位シートが、横方向の折り線を介して上下に連接された折り畳み袋体シートを縦横に折り畳んだ折り畳み袋体であり、前記折り畳み袋体シートを縦方向の折り線に沿って巻き折り状に折り込み、さらに前記横方向の折り線から単位シート同士が対向するように二つ折りに折り畳み、対向する任意の葉片の任意の箇所を剥離不能に接着することにより複数に仕切られた封入部を有することを特徴とした折り畳み袋体。
【発明の詳細な説明】
【技術分野】
【０００１】  本発明は、書類を封入して持ち運ぶための収納袋、広告宣伝用のチラシを封入して郵送するダイレクトメール用の封筒、或いは薬を入れる薬袋等に使用できる袋体に関する。
詳しくは、一つの袋体に袋部が二か所以上設けられているため、封入物の種類を分別して保管することが可能な袋体に関する。
【背景技術】
【０００２】  従来、封筒と言えば単一の袋体であり、使用者は書類や薬等の収納物を仕分けして収容しようとしても、内部では無秩序に散乱して混乱してしまい、取り出し時に再度仕分けし直す等の面倒が発生する。従って使用者は、複数の封筒を使用するようして、仕訳けした封入物が混乱しないように何らかの方法を講じる必要があった。そのような状況下、例えば特開平１０−８５３０８号公報や特開２００４−９０９９１号公報人に記載される薬袋のような袋体が提案されている。
【先行技術文献】
【特許文献】
【０００３】
【特許文献１】特開平１０−８５３０８号公報
【特許文献２】特開２００４−９０９９１号公報
【発明の概要】
【発明が解決しようとする課題】
【０００４】  前記何れの特許文献も袋体の内部が仕切られることにより、収納する薬を種類や使用方法により分別して収納することができる。ところで前記特許文献１の薬袋は、別体からなる葉片の縁辺を貼り合わせた構成である。また特許文献２の薬袋は、折り部を介して横方向に連接された葉片を折り畳み、側片と底辺を貼り合わせて袋体としたものである。【０００５】  前記各特許文献の袋体は、何れも葉片の縁辺の貼り合わせにより構成されるものであり、例えば収納物が嵩張る場合や重量がある場合、貼り合わされた縁辺を破って収納物が飛び出す事故が発生する。また嵩張ることが無く重くもないとしても、例えば収納物が薄くて鋭利な縁辺を持つ板状の場合に、貼り合わせている葉片間の接着剤層に食い込んでその部分を破損したり、食い込んだ収納物を取り出す際に食い込み部分から破断したりする事故が発生する。【０００６】    本発明は上記課題を考慮してなされた袋体で、葉片同士の対向する縁辺の貼り合わせにより形成される袋体ではなく、一枚のシートを縦横に折り畳むことにより、封入口を除く全ての縁辺が連続する葉片を折り畳んだ際の折り部により構成される袋体である。それにより仮に嵩張り重い収納物であても、或いは鋭利な縁辺を有する収納物であっても縁辺部分から破断して裂ける等の支障が起こらず、加えて二か所以上の封入部を有するため容易に収納物の仕分けが行え、袋体の内部での混乱を防ぐことが可能な折り畳み袋体を提供することを目的としている。
【課題を解決するための手段】
【０００７】  上記課題を解決するために、本発明の折り畳み袋体は、縦方向の折り線を介して連接する横幅が異なる或いは略同じ２葉片以上の葉片が横方向へ連接された単位シートと、前記単位シートと縦幅が略同じ或いは異なる単位シートが、横方向の折り線を介して上下に連接された折り畳み袋体シートを縦横に折り畳んだ折り畳み袋体であり、前記折り畳み袋体シートを縦方向の折り線に沿って巻き折り状に折り込み、さらに前記横方向の折り線から単位シート同士が対向するように二つ折りに折り畳み、対向する任意の葉片の任意の箇所を剥離不能に接着することにより複数に仕切られた封入部を有することを特徴としている。【０００８】  本発明の折り畳み袋体シートに使用される材料として上質紙、マット紙、コート紙等の公知の紙材を初め、合成紙、樹脂フィルムシート、不織布等を好適に使用することができる。【０００９】  また、本発明の折り畳み袋体シートの折り畳みにより生じる対向面同士の任意の部分を接着するための接着剤として公知の各種接着剤を使用することができるが、特にプリントラミネート用の完全接着フィルムシートを好適に使用することができる。このものは印刷物表面の完全接着予定面に被覆した後に対向するように折り畳み、加圧或いは加熱・加圧処理を施すと、対向するフィルムシート同士が剥離不能に接着するもので、使用に際して取り扱いが容易なため至便である。【００１０】  さらに本発明の折り畳み袋体シートを縦横に折り畳む際に、折り線部分に形成される折り手段として折りミシンや折り筋等がある。折りミシンのカットとアンカットの比率に格別な制限はない。また折り畳み袋体シートのみに折りミシンを施しておいてその上から完全接着フィルムシートを被覆すれば、折りやすさと破断に対する補強が同時に可能となる。また折り筋を形成しても構わず、さらに折り手段を形成することなく折り機により何ら折り手段が形成されていない折り線部分を強制的に折り畳んでも構わない。【００１１】  本発明の折り畳み袋体シートの構成は、縦方向の折り線を介して横方向に連接される幅の狭い１葉片と、それと連接する幅が略同じの２葉片以上からなる。なお前記幅の狭い１葉片は他の葉片と略同じ幅に拡張しても構わない。そして前記３葉片以上からなる単位シートが天地の横方向の折り線を介して連接される。【００１２】  また前記単位シートの各葉片の横幅については、例えば３葉片の場合、左葉片、中央葉片及び右葉片において、右葉片≒中央葉片≧左葉片或いは左葉片≒中央葉片≧右葉片の関係となる。そして中央葉片の両側の葉片を幅の狭い左右何れかの葉片が最上面に表出するように巻き折り状態に折り畳む。そして最後に横方向の折り線から単位シート同士が対向するように幅の狭い葉片側で二つ折りに折り畳むが、前記二つ折りに際して内面側となり対向する葉片の任意の箇所を剥離不能に接着することで前記巻き折り部分に袋部が生じる。前記袋部は各単位シートの巻き折り部分に生じるため最低でも２袋部が形成されて使用可能となるのである。さらに後述するが前記３葉片の横幅の関係は、右葉片≒中央葉片≒左葉片であっても構わない。【００１３】  なお単位シートを構成する葉片の数は３葉片以上でも構わず、その場合巻き折���状態に各葉片を折り畳み、例えば表出した横幅の狭い葉片同士が対向するように横方向の折り線から折り畳む。そのようにして生じる袋部は４葉片であれば４袋部、５葉片であれば６袋部というように葉片の増加に伴い増えて行く。【００１４】  また上下に連接された各単位シートの高さを操作することにより、横方向の折り線からの折り畳みにより封入口に段差が生じ、それにより収納物の出し入れがより至便になる。さらに再外側に位置する葉片に意図的に切り込みを入れて取り出し側の縁辺を切除すればより収納物の出し入れが至便となる。【００１５】  更に縦幅が広い単位シートの横方向の折り線に沿った折り畳みにより、突出する部分を折り返して封緘用のフラップとしても構わない。その際折り畳みが容易になるように折りミシンを形成しておけば至便である。また前記フラップは葉片全部の高さが同じ場合、封入口部分の全葉片を折り畳み封止するようにしても構わない。
【発明の効果】
【００１６】  本発明の折り畳み袋体は、独立した葉片の解放されている縁辺を貼り合わせて形成する、或いは横方向に連接された葉片を折り畳み残った解放されている縁辺を貼り合わせて形成するという、各解放縁辺を接着手段により封止する手法ではなく、縦横の折り畳みにより全て連続する葉片の折り畳みの折り線により形成することになる。そのため縁辺における接着剤部分からの剥がれ等接着剤を使用することを起因とする事故が無くなる。
特に完全接着フィルムシートにより前記折り線が被覆されている形態では、前記折り線部分が補強されて破れ等の破損に対してより強靭に補強される。
また接着剤等のはみ出しにより収納物を汚損したり破損したりすることもない。
【図面の簡単な説明】
【００１７】
【図１】（Ａ）は折り畳み袋体Ｆ１の表面図、（Ｂ）は裏面図である。
【図２】折り畳み袋体Ｆ１の斜視図である。
【図３】図１（Ｂ）におけるＩ−Ｉ線断面図である。
【図４】図１（Ｂ）におけるＩＩ−ＩＩ線断面図である。
【図５】図１（Ｂ）におけるＩＩＩ−ＩＩＩ線断面図である。
【図６】（Ａ）折り畳み袋体シートＳ１の表面図、（Ｂ）は裏面図である。
【図７】（Ａ）は完全接着フィルムシートＫが貼り込まれた状態の折り畳み袋体シートＳ１の表面図、（Ｂ）は裏面図。
【図８】（Ａ）は縦方向の折り線に沿って巻き折り状態に折り畳まれた折り畳み袋体用シートＳ１の表面図、（Ｂ）は裏面図である。
【図９】（Ａ）は図８（Ｂ）におけるＩＶ−ＩＶ線断面図、（Ｂ）はＶ−Ｖ線断面図である。
【図１０】（Ａ）は実施例１の改良版で折り畳み袋体の製造工程の中間で、フリーな葉片を固定させた場合の折り畳み態様の断面図、（Ｂ）は前記（Ａ）の構成により完成した改良版折り畳み袋体の断面図である。
【図１１】（Ａ）は実施例１と異なる態様の折り畳み袋体の製造工程の中間の断面図、（Ｂ）は前記（Ａ）の構成により完成した改良版折り畳み袋体の断面図である。
【図１２】（Ａ）はさらに異なる態様の折り畳み袋体の製造工程の中間の断面図、（Ｂ）は前記（Ａ）の構成により完成した改良版折り畳み袋体の断面図である。
【図１３】（Ａ）はさらにまた異なる態様の折り畳み袋体の製造工程の中間の断面図、（Ｂ）は前記（Ａ）の構成により完成した改良版折り畳み袋体の断面図である。
【図１４】（Ａ）は折り畳み袋体Ｆ２の表面図、（Ｂ）は裏面図である。
【図１５】折り畳み袋体Ｆ２の斜視図である。
【図１６】図１４（Ｂ）におけるＶＩ−ＶＩ線断面図である。
【図１７】（Ａ）は完全接着フィルムシートＫが貼り込まれた状態の折り畳み袋体シートＳ２の表面図、（Ｂ）は裏面図。
【図１８】（Ａ）は縦方向の折り線に沿って巻き折り状態に折り畳まれた折り畳み袋体用シートＳ２の表面図、（Ｂ）は裏面図である。
【図１９】（Ａ）は図１８（Ｂ）におけるＶＩＩ−ＶＩＩ線断面図、（Ｂ）はＶＩＩＩ−ＶＩＩＩ線断面図である。
【図２０】（Ａ）は実施例２と異なる態様の折り畳み袋体の製造工程の中間の断面図、（Ｂ）は前記（Ａ）の構成により完成した改良版折り畳み袋体の断面図である。
【図２１】表出する葉片の縁辺に切れ込み等の引っ掛かりを設けた状態を示す斜視図である。
【発明を実施するための形態】
【００１８】  以下、本発明の実施の形態を図面に基づいて具体的に説明する。
なお本実施例では折り畳み袋体シートＳとして通常のマット紙（四六版換算で１１０ｋｇ）を使用している。また完全接着フィルムシートＫは、例えばポリエチレンテレフタレートや二軸延伸ポリプロピレンからなる基材の一方の面に、公知の感熱接着剤層を形成すると共に、残るもう一方の面にヒート処理層を形成したサーマルラミネート法に対応したもの使用している。このものは印刷物表面に前記感熱接着剤層を介して剥離不能に接着した後、ヒート処理層が対向するように折り畳み加圧或いは加熱・加圧処理を施すことで対向面同士が剥離不能に接着する。
【００１９】  また各実施例に示す図面で、折り畳み袋体シートの表面図に現れる葉書や封筒に記載される郵便料金表示の円は、前記折り畳み袋体シートの表裏面を区別するために記載したものであり、本発明の折り畳み袋体が必ずしも郵送体（角封筒等）として使用されるものではなく、薬袋或いはその他の各種袋に適用されることはいうまでもない。
【実施例１】
【００２０】［折り畳み袋体Ｆ１］
図１乃至図５に示す折り畳み袋体Ｆ１、は本発明の折り畳み袋体の最も基本となるものである。このものの構成について図６から図９に示す製造順序に従って説明する。【００２１】  図６に示すように本発明の折り畳み袋体Ｆ１を製造するための折り畳み袋体シートＳ１は、縦方向の折り線７及び８を介して横方向に連接する第一葉片１、第二葉片２及び前記２葉片より横幅の狭い第三葉片３からなる単位シートｔ１が、同様に縦方向の折り線７及び８を介して横方向に連接する第四葉片４、第五葉片５及び前記２葉片より横幅が狭い第六葉片６からなる単位シートｔ２と、横方向の折り線９を介して第一葉片１と第四葉片４、第二葉片２と第五葉片５及び第三葉片３と第六葉片６が接するように上下に連接されたものである。なお第一葉片１、第二葉片２及び第三葉片３からなる単位シートｔ１は、上部に折り線１０を介してフラップ部分を有しているため、その分下部の単位シートｔ２よりも縦幅が広くなっている。【００２２】  なお前記折り畳み袋体シートＳ１は、フォーム印刷や輪転印刷に使用される長尺状の連続用紙に印刷されていても、或いはオフセット印刷やオンデマンド印刷に使用される枚葉状のカット用紙に印刷されていても構わない。この印刷態様については以下の実施例においても同様である。【００２３】  そして図７（Ａ）及び（Ｂ）に示すように、折り畳み袋体シートＳ１の第三葉片３と第六葉片６には各種ラミネート装置により完全接着フィルムシートＫが連続的に被覆され、必要とあれば各折り線に折りミシンからなる折り手段が形成される。本実施例では縦方向の折り線７、８及び横方向の折り線９に折りミシンが予め形成されている。【００２４】  なお折りミシンの形成時期に制限はなく、本実施例のように予め形成しておいて後に完全接着フィルムシートＫを被覆しても、或いは完全接着フィルムシートの被覆後に形成しても構わない。また折りミシンに代えて折り筋等他の折り手段でもよく、さらに何も形成しなくて折り機により強制的に折り畳んでも構わない。この各折り線に対する折り手段の形成については以下の各実施例においても同様である。【００２５】  次に図８（Ａ）、（Ｂ）及び図９（Ａ）、（Ｂ）に示すように、既述の折り畳み袋体シートＳ１の第一葉片１及び第四葉片４を縦方向の折り線７から裏面側へ折り畳み、さらに第三葉片３及び第六葉片６を縦方向の折り線８から裏面側に折り畳む。さらに図８（Ｂ）の状態から横方向の折り線９に沿って、第三葉片３及び第六葉片６の裏面側で表出している完全接着フィルムシートＫ同士が対向するように二つ折りに折り畳み、図３に断面図で示す状態に仕上げ加圧或いは加熱・加圧処理を施すと、対向している完全接着フィルムシートＫ同士が剥離不能に接着して折り畳み袋体Ｆ１として完成するのである。【００２６】  前記折り畳み加工は、折り畳み袋体シートＳ１が印刷された連続用紙や完全接着フィルムシートＫの被覆により連続状態となったカット用紙を、縦方向の折り線から連続的に折り畳んだ後に単品の折り畳み袋体シートＳ１に切り出して横方向の折り線から折り畳んでも良く、或いは完全接着フィルムシートＫを被覆した後に単品の袋体シートＳ１に切り出して、その後折り機により折り畳んでも構わない。これら折り畳み加工や折り手段の形成時期等に関しては格別の制限はなく、最終的に単品の折り畳み袋体シートＳ１の折り畳みが完了した後に加圧或いは加熱・加圧処理を施して一体化される。この各種加工工程に関しては以下の各実施例においても同様である。【００２７】  このようにして作られた折り畳み袋体Ｆ１は、図２及び図３中に網点で示すように２か所の収納部を有する。そして使用目的に合わせて、必要とあれば折り線１０から突出しているフラップ部分を折り畳むことにより両封入口を封止することができる。なお前記フラップ部分は省略しても構わずその場合封入口は同じ高さとなり段差を形成することはない。フラップ部分の有無に関しては以下の各実施例においても同様である。【００２８】  なお図３に示すように、第四葉片４と第六葉片６及び第一葉片１及び第三葉片３の重なり部分は、接着されることなくフリーな状態となっている。また第四葉片４及び第一葉片１の対向面間もフリーな状態となっている。従って例えば図１０（Ａ）及び（Ｂ）に示すように〔図９（Ａ）及び（Ｂ）参照〕第四葉片４と第一葉片１間に完全接着フィルムシートＫを介在させることによりフリーな状態の葉片を固定させることができる。【００２９】  また巻き折り状態に折り畳む際の各葉片の重なり部分に関しては、実施例１では図９（Ａ）に示すように第一葉片１を包み込むように第三葉片３が折り畳まれているが、例えば図１１（Ａ）に示すように第三葉片３を包み込むように第一葉片１が折り畳まれていても良い。その際第一葉片の横幅を第二葉片２よりも狭くして、第三葉片３が重なり部分から表出するようにしておいて、さらに第一葉片１の重なり部分の対向面に完全接着フィルムシートＫを被覆しておけば、完成される折り畳み袋体Ｆ１は図１１（Ｂ）に示すように収納部が密閉されて独立した空間となり且つ前記第三葉片３の重なり部分から表出している部分の完全接着フィルムシートＫ同士で二つの収納部は一体化されるのである。【００３０】  また前記変形例の他に、例えば図１２（Ａ）に示すように第四葉片４と第六葉片６及び第三葉片３と第一葉片１の重なり部分を剥離不能にしても良く、さらに前記変形例の場合同図（Ｂ）に示すように第四葉片４及び第一葉片１の対向面間を剥離不能に接着しても構わない。【００３１】  さらに異なる変形例として図１３（Ａ）に示すように、各葉片の横幅を略同じにして、第六葉片６と第三葉片３の全面を完全接着しても構わず、その場合同図（Ｂ）に示すように、第四葉片４と第六葉片６及び第三葉片３と第一葉片１同士の全面を完全接着しても構わない。【００３２】  このような構成の折り畳み袋体Ｆ１は郵送に使用する封筒のみならず各種書類の収納用の袋体として使用できる他、薬等の小物でも仕分けして収容できるので極めて至便である。これら収納対象や至便さに関しては以下の実施例で紹介される各種折り畳み袋体についても同様である。
【実施例２】
【００３３】［折り畳み袋体Ｆ２］
図１４（Ａ）、（Ｂ）、図１５及び図１６に示す折り畳み袋体Ｆ２は、実施例１の折り畳み袋体Ｆ１における葉片数を増やしたものである。このものの構成について図１７から図１９に示す製造順序に従って説明する。【００３４】  図１７に示すように本発明の折り畳み袋体Ｆ２を製造するための折り畳み袋体シートＳ２は、縦方向の折り線２９、３０及び３１を介して横方向に連接する第一葉片２１、第二葉片２２、第三葉片２３及び第四葉片２４からなる単位シートｔ１１が、同様に縦方向の折り線２９、３０及び３１を介して横方向に連接する第五葉片２５、第六葉片２６、第七葉片２７及び第八葉片２８からなる単位シートｔ１２と、横方向の折り線３２を介して第一葉片２１と第五葉片２５、第二葉片２２と第六葉片２６、第三葉片２３と第七葉片２７及び第四葉片２４と第八葉片２８が接するように上下に連接されたものである。なお単位シートｔ１１は上部の折り線３３を介しフラップ部分を有しているため、その分だけ下部の単位シート１２よりも縦幅が広くなっている。【００３５】  そして図１７（Ａ）に示すように、折り畳み袋体シートＳ２の第四葉片２４と第八葉片２８には完全接着フィルムシートＫが被覆され、各折り線に折りミシンからなる折り手段が形成されている。【００３６】  次に図１８（Ａ）、（Ｂ）及び図１９（Ａ）、（Ｂ）に示すように、既述の折り畳み袋体シートＳ２の第一葉片２１及び第五葉片２５を縦方向の折り線２９から裏面側へ折り畳み、前記２葉片を巻き込むように折り線３０及び３１から各葉片を折り畳む。そして図１８（Ｂ）に示す状態から横方向の折り線３２に沿って、第四葉片２４及び第八葉２８の裏面側で表出している完全接着フィルムシートＫ同士が対向するように二つ折りに折り畳み、図１６に断面図で示す状態に仕上げ加圧或いは加熱・加圧処理を施すと、対向している完全接着フィルムシートＫ同士が剥離不能に接着して折り畳み袋体Ｆ２として完成するのである。【００３７】  このようにして作られた折り畳み袋体Ｆ２は、図１５及び図１６中に網点で示すように４か所の収納部を有する。そして使用目的に合わせて、必要とあれば折り線３３から突出しているフラップ部分を折り畳むことにより両封入口を封緘することができる。【００３８】  なお図１６に示すように、第六葉片２６と第八葉片２８及び第四葉片２４及び第二葉片２２の重なり部分は、接着されることなくフリーな状態となっている。また第六葉片２６及び第二葉片２２の対向面間もフリーな状態となっている。この部分に関しては巻き折り状態に折り畳む際に、実施例２では図１９（Ａ）に示すように第一葉片２１を包み込むように他の葉片が折り畳まれているが、例えば図２０（Ａ）に示すように第一葉片２１の下方へ第四葉片２４が入り込む状態であっても構わない。その際第一葉片２１と第二葉片２２の横幅を第三葉片２３よりも狭くして、第四葉片２４が重なり部分から表出するようにしておいて、さらに第一葉片２１の重なり部分の対向面に完全接着フィルムシートＫを被覆しておけば、完成される折り畳み袋体Ｆ２は図２０（Ｂ）に示すように収納部が密閉されて独立した空間となり且つ前記第四葉片２４の前記重なり部分から表出している部分の完全接着フィル��シートＫと第八葉片２８の表出部分同士で四つの収納部は一体化されるのである。その他前記フリーな状態の変形例に関しては実施例１と同様である。【００３９】  なお本発明は上記実施例に限られるものではない。
例えば実施例１では上下各３葉片が連接された折り畳み袋体シートＳ１、実施例２では上下各４葉片が連接された折り畳み袋体シートＳ２が使用されているが、それ以上の葉片が上下連接された折り畳み袋体シートで作製しても構わない。
また図２１に示すように、折り畳み袋体の仕上がり後に表出する葉片の封入物を出し入れする縁辺に切れ込み等の引っ掛かりを設け、指で容易に開封口を広げられるように操作しても構わない。
【符号の説明】
【００４０】  Ｆ１、Ｆ２  折り畳み袋体
Ｓ１、Ｓ２  折り畳み袋体シート
Ｋ  完全接着フィルムシート
ｔ１、ｔ２、ｔ１１、ｔ１２  単位シート
１、２、３、４、５、６、２１、２２、２３、２４、２５、２６、２７、２８  葉片
７、８、９、１０、２９、３０、３１、３２、３３  折り線
【図１】
2020179937.tif 000003
【図２】
2020179937.tif 000004
【図３】
2020179937.tif 000005
【図４】
2020179937.tif 000006
【図５】
2020179937.tif 000007
【図６】
2020179937.tif 000008
【図７】
2020179937.tif 000009
【図８】
2020179937.tif 000010
【図９】
2020179937.tif 000011
【図１０】
2020179937.tif 000012
【図１１】
2020179937.tif 000013
【図１２】
2020179937.tif 000014
【図１３】
2020179937.tif 000015
【図１４】
2020179937.tif 000016
【図１５】
2020179937.tif 000017
【図１６】
2020179937.tif 000018
【図１７】
2020179937.tif 000019
【図１８】
2020179937.tif 000020
【図１９】
2020179937.tif 000021
【図２０】
2020179937.tif 000022
【図２１】
2020179937.tif 000023